(57)【要約】【課題】本発明は、細長い部材を骨に取り付ける接続具を指向する。【解決手段】接続具は、アンカーに取り付けられる受容体を含むであろう。受容体は、基部と外方向に延在するアームとを含み、細長い部材を受容するチャネルを形成する。基部は、収容部の中へ延在する開口部を含む。開口部は、受容体の下方側面の中に第１の部分を含み、横方向の側面の中に切り込み部を含むであろう。取り付けられている間、アンカーの頭部が第１の部分の中に挿入され、アンカーのシャフトが第２の部分の中に挿入されるように、アンカーは、受容体に対して配置される。挿入された後、アンカーは、頭部が収容部の中に留まるがシャフトを切り込み部の外に動くように、回転する。それから、楔は、切り込み部の上方で受容体に取り付けられ、アンカーが逃げるのを防止する。【選択図】図１
2012504477.tif 000002
【特許請求の範囲】
【請求項１】
細長いロッドを骨に取り付ける接続具であって、
基部と当該基部の第１の側面から外方向に延在した対向するアームとを備え、前記細長いロッドを受容するチャネルを形成する受容体であって、長手軸を有する受容体と、
前記基部の中にあり、前記受容体の前記長手軸に垂直に測定される収容部幅を備えた収容部と、
前記受容体の中に配置された頭部とシャフトとを含むアンカーであって、当該頭部が当該アンカーの長手軸に垂直に測定される頭部幅と当該長手軸に沿って測定される頭部高さとを含み、当該頭部幅が前記収容部幅より小さく、当該頭部高さが当該収容部幅より小さく、当該シャフトが当該アンカーの当該長手軸に垂直に測定されるシャフト幅を含む、アンカーと、
前記収容部の中へ導く前記チャネルとは反対側の前記基部の第２の側面の中の開口部であって、前記収容部幅より小さく前記頭部幅より小さい開口部幅を含む、開口部と、
前記受容体の横方向の側面の中で前記基部の前記第１及び第２の側面の間の切り込み部であって、前記収容部及び前記開口部の中に延在し、前記シャフト幅より大きく前記頭部幅より小さい切り込み幅を含む、切り込み部と、
前記受容体に取り付けられて前記切り込み部に適合するように構成された楔であって、前記収容部に向けて面する内面と当該収容部から離れて面する外面とを含み、当該受容体に取り付けられるとき当該外面が当該受容体の外部表面と整合する、楔と、を有する、接続具。
【請求項２】
請求項１に記載の接続具において、
前記楔の前記内面は、前記外面よりも大きい幅を有する、接続具。
【請求項３】
請求項２に記載の接続具において、
前記楔は、前記内面の部分の周りを延在し、前記受容体の中に形成されて前記切り込み部に沿って配置されたスロットの中に適合するフランジを含む、接続具。
【請求項４】
請求項１に記載の接続具において、
前記外面は、前記受容体の外部の湾曲部に適合する湾曲した形状を含む、接続具。
【請求項５】
請求項１に記載の接続具において、
前記基部の前記第２の側面は、凹みの無い部分と凹みのある複数の部分とを含み、
前記凹みのある複数の部分の各々は、前記凹みの無い部分よりも大きな量だけ前記受容体の前記長手軸から離れる向きに折り曲げられた、接続具。
【請求項６】
請求項１に記載の接続具において、
前記楔は、当該楔が前記受容体に取り付けられるとき、前記基部の前記第２の側面に整合する下方側面上に形成された凹み部を含み、
前記凹み部は、前記受容体の前記長手軸から離れる向きに折り曲げられた扇状のエッジを含む、接続具。
【請求項７】
請求項１に記載の接続具において、
前記切り込み部の上方エッジは、前記チャネルよりも前記基部の前記第２の側面に更に近い近辺に配置される、接続具。
【請求項８】
請求項１に記載の接続具において、
前記頭部は、前記シャフトの反対側に配置された平坦な表面を含む、接続具。
【請求項９】
請求項１に記載の接続具において、
前記受容体に取り付けられて前記収容部の中に延在する少なくとも１つの付勢部材を更に有し、
前記付勢部材は、前記収容部の中で凹みのない部分とは反対側に形成された凹み部の上方で整合される、接続具。
【請求項１０】
細長いロッドを骨に取り付ける接続具を組み立てる方法であって、
アンカーを受容体に対して配置する工程であって、当該アンカーの長手軸を当該受容体の長手軸との整合から外れた状態にする、工程と、
前記アンカーの頭部を前記受容体の下方側面上の開口部の第１の部分の中に挿入し、当該アンカーのシャフトを当該受容体の側壁上の開口部の第２の部分の中に挿入する工程と、
前記シャフトが前記第２の部分の中にある間に、前記開口部に連通する前記受容体の中の収容部の中へ前記頭部を配置する工程と、
前記２つの長手軸が更に近い整合状態となるように前記アンカーを前記受容体に対して旋回させて、前記頭部が前記収容部の中に留まるが前記シャフトを前記第２の部分から外へ動かす工程と、
楔を前記第２の部分の中へ延在させ前記開口部の幅を前記頭部の幅より小さくなるように減らして当該楔を前記受容体に取り付け、当該頭部が前記収容部から除去されることを防止する工程と、を有する、方法。
【請求項１１】
請求項１０の方法において、
前記楔を前記受容体に取り付ける間、当該楔の凹み部の第２の部分を当該受容体の前記下方側面上の凹み部の第１の部分に整合させる工程を更に有する、方法。
【請求項１２】
請求項１０の方法において、
前記楔を前記受容体に取り付けるときに、前記第２の部分を形成する当該受容体のエッジに当該楔の外エッジを接触される工程を更に有する、方法。
【請求項１３】
請求項１０の方法において、
前記楔を前記受容体に取り付ける工程は、前記開口部の前記第２の部分の完全に覆う工程を含む、方法。
【請求項１４】
請求項１０の方法において、
前記楔を前記受容体に取り付けた後に、前記アンカーの角度位置を当該受容体に対して調節する工程を更に有する、方法。
【発明の詳細な説明】
【技術分野】
【０００１】
本発明は、細長い部材を骨に取り付ける接続具を指向し、更に特定すれば、アンカーを受容体に挿入する切り込み部を有する受容体を備えた接続具を指向する。
【背景技術】
【０００２】
細長い部材は、骨折の治療など様々な外科的応用に使用される。他の状況は、退行性の椎間板の疾病、椎間板ヘルニア、脊椎側湾症や他の湾曲性の異状と骨折等の脊椎の不具合の外科的治療にある。このような脊椎の不具合の治療は、様々な型の外科的処置を使用することがある。ある症例では、椎骨の部材の間の相対的な動きを阻止するために、脊椎固定術（spinal fusion）が示される。他の症例では、椎骨の部材の間の動きを保存するために、動的なインプラントが使用される。いずれの型の外科的処置でも、椎骨の部材の前方、後方、側方のいずれにせよ、細長い部材は、２又はそれ以上の椎骨の部材の外部に取り付けられる。他の実施形態では、細長い部材は、動的なインプラントや脊椎固定術を使用することなく、椎骨の部材に取り付けられる。
【０００３】
細長い部材は、脊椎固定の手術後に骨が結合するのを促進する安定的で堅い脊柱を提供するであろう。更に、細長い部材は、損傷を受けて欠陥のある領域から離れた更に広い領域にわたって応力の方向を変えるであろう。また、堅い細長い部材は、脊椎をその適切な配置へ戻すであろう。ある症例では、可撓性を有する細長い部材が適切であろう。可撓性を有する細長い部材は、他の有利な点を提供するであろう。例えば、身体内部の構造に加えられる負荷が増加すること、骨移植治療が起こる間に近接する椎骨の部材へ移る応力が減少すること、可撓性ゆえに一般に強度の均衡が図れること等である。
【０００４】
細長い部材は、接続具を通じて１又は２以上の椎骨に固定される。接続具は、細長い部材を受容する受容体と、椎骨の中にしっかりと固定するアンカーとを含む。受容体とアンカーとは、これらの要素が効果的な方法で一緒に接続されることを可能にする方法で構成されるべきである。
【発明の概要】
【課題を解決するための手段】
【０００５】
本発明は、細長い部材を骨に取り付ける接続具を指向する。接続具は、アンカーに取り付けられる受容体を含むであろう。受容体は、基部と外方向に延在するアームとを含み、細長い部材を受容するチャネルを形成する。基部は、収容部の中へ延在する開口部を含む。開口部は、受容体の下方側面の中に第１の部分を含み、横方向の側面の中に切り込み部を含むであろう。取り付けられている間、アンカーの頭部が第１の部分の中に挿入され、アンカーのシャフトが第２の部分の中に挿入されるように、アンカーは、受容体に対して配置される。挿入された後、アンカーは、頭部が収容部の中に留まるがシャフトを切り込み部の外に動くように、回転する。それから、楔は、切り込み部の上方で受容体に取り付けられ、アンカーが逃げるのを防止する。
【０００６】
様々な実施形態の様々な特徴が、所望なように、単独で又は任意に組み合わされて使用されるであろう。
【図面の簡単な説明】
【０００７】
【図１】ある実施形態に従った接続具の斜視図である。
【図２】ある実施形態に従った接続具の拡大された斜視図である。
【図３】ある実施形態に従った受容体の斜視図である。
【図４】ある実施形態に従った受容体と楔の断面図である。
【図５】ある実施形態に従った、取り付けられた楔を備えた、受容体から外方向に延在するアンカーの底面図である。
【図６】ある実施形態に従った、取り付けられた楔を備えた、受容体及び楔の側面図である。
【図７】ある実施形態に従った楔の第１の側面の斜視図である。
【図８】ある実施形態に従った楔の第２の側面の斜視図である。
【図９】ある実施形態に従った、互いに垂直な軸を備えて配置された、クラウンを備えた受容体、及び、配置されたアンカーの側面図である。
【図１０】図９の線１０−１０に沿って切られた受容体及びアンカーの断面図である。
【図１１】ある実施形態に従った、整合された受容体及びアンカーの軸を備えた接続具の断面図である。
【発明を実施するための形態】
【０００８】
本発明は、細長い部材を骨に取り付ける接続具を指向する。図１は、受容体２０とアンカー４０とを含む接続具１０のある実施形態を示す。アンカーは、頭部４１とシャフト４２とを含む。受容体２０は、細長い部材を受容するような大きさの一対のアーム２３の間に形成されたチャネル２１を含む。締結具（図１では不図示）は、アーム２３に取り付けられ、細長い部材がチャネル２１から逃げるのを防止する。受容体２０はまた、頭部４１を受容する大きさの内部を備えた基部２２を含む。基部２２の中の切り込み部３０は、内部の中へ延在する。切り込み部３０は、頭部４１が内部へ挿入される間、シャフト４２を受容する大きさである。いったんアンカー２０が内部へ挿入されると、楔５０は、受容体２０に取り付けられ切り込み部３０の中に配置されて、頭部４１が内部から逃げるのを防止して、受容体２０に取り付けられたアンカー４０を維持する。
【０００９】
図２は、接続具１０の拡大図である。受容体２０は、チャネル２１を形成するために離間している外方向に延在するアーム２２を備えた上方側面を備えた基部２２を含む。締結具６０は、アーム２２と係合するような大きさであり、チャネル２１から細長い部材が逃げることを防止する。基部２３はまた、アンカー４０の頭部４１を受容する大きさの内部の収容部８０を含む。基部２３の下方側面の中の開口部２４は、収容部８０の中へ通じる。切り込み部３０は、基部２３の側壁を通って延在し、開口部２４と連通する。結合された開口部２４と切り込み部３０とは、頭部４１が収容部８０へ挿入されることを可能にする大きさである。楔５０は、受容体２０に取り付けられ、切り込み部３０の上方を延在し、いったん収容部８０に挿入されると、頭部４１が逃げることを防止する。クラウン７０は、頭部４１とチャネル２１との間で収容部８０の中に配置されるであろう。
【００１０】
受容体２０は、湾曲した外部表面、及び、基部２２から外方向に延在する一対の対向するアーム２３を備えた、一般に円筒形状を含むであろう。アーム２３は、締結部６０と係合する螺合部２５を含むであろう。螺合部２５は、図１及び２に示されるように、アーム２３の内部表面上に配置されるか、あるいは、外部表面上に配置される。アーム２３は、実質的には、同じであり、或いは、異なる形状、及び／又は、大きさを含むであろう。
【００１１】
基部２２は、上方側面２６、下方側面２７、その間の側壁２８を含む。収容部８０は、基部２２の内部に配置され、アンカー４０の頭部４１を受容する大きさである。上方側面２６は、更に低い程度のチャネル２１を形成し、細長い部材の形状に合致するように湾曲するであろう。下方側面２７は、丸い形状を含み、アンカー４０に対する動きを容易にする。
【００１２】
収容部８０は、基部２２の内部に配置され、幅Ｗ１を含む。図４に示されるように、収容部８０は、受容体２０の長手軸ＬＲ上に中心を置く。受容体２０の内部の中に形成されたノッチ８１は、収容部８０内のクラウン７０を配置する大きさであろう。上方側面２６の開口部２９は、収容部８０とチャネル２１との間を通じるであろう。
【００１３】
開口部２４は、受容体２０の下方側面２７を通って延在し、収容部８０の中へ通じる。開口部２４はまた、受容体２０の長手軸ＬＲ上に中心を置かれるであろう。開口部２４は、収容部８０よりも小さい幅を含む。
【００１４】
１又は２以上の凹み部８２は、受容体２０の下方側面２７上に配置され、いったん接続具１０が組み立てられると、受容体２０に対するアンカー４０の角度を増加させることを可能にする。各々の凹み部８２は、外方向に、下方側面２７の近接した部分より大きな量だけ長手軸ＬＲから離れる向きに折り曲げられた折り曲げ面を含む。凹み部８２は、開口部２４の周りを均等に離間し、その結果、図５の実施形態は、約１２０度で離れて中心が合わされた凹み部８２を含む。
【００１５】
切り込み部３０は、受容体２０の側壁２８を通って、収容部８０の中へ延在する。切り込み部３０は、開口部２４と連通し、その結果、切り込み部３０と開口部２４とは一緒になって、収容部８０の中へ通じる単一で継続的な開口部を形成する。切り込み部３０は、上方側面３１及び対向する横方向のエッジを含むであろう。切り込み部３０は、アンカーのシャフト４２の幅よりも大きい幅を含む。切り込み部３０の幅は、また、アンカーの頭部４１の幅よりも小さいであろう。上方エッジ３１は、シャフト４２の形状に合致する湾曲した形状を含むであろう。ある実施形態では、上方エッジ３１は、受容体２０の上方側面２６よりも受容体２０の下方側面２７に更に近い近接に配置される。スロット３２は、切り込み部３０から外方向に、側壁２８の内部へ延在するであろう。スロット３２は、図４及び５に示されるように、１又は２以上の上方側面３１及び横方向の側面に沿って延在するであろう。図３に示されるように、キャビティ３３は、側壁２８の中へ上方側面３１を超えて延在するであろう。
【００１６】
楔５０は、切り込み部３０の中に適合し、アンカーの頭部４１が逃げることを防止する。楔５０は、切り込み部３０を完全に満たすかもしれないし、或いは、切り込み部３０の一部分だけを満たすかもしれない。図７及び８に最も良く示されるように、楔５０は、収容部８０内に、外部表面５２内に面する内部表面５１を含む。楔５０が受容体２０に取り付けられるとき、内部表面５１は、側壁部の内部に整合し、楔５０は、収容部８０の中へ延在しないであろう。また、楔５０が取り付けられるとき、外部表面５２は、受容体２０の外部表面に整合し、受容体２０の外部表面と同一平面となるであろう。外部表面５２は、湾曲して、受容体２０の外部の湾曲部と適合する。フランジ５４は、周辺部の一部の周りを延在し、切り込み部３０のスロット３２の中に設置する大きさで、取り付けを容易にする。更に、楔５０のエッジは、切り込み部３０の上方エッジ３１及び横方向のエッジに接触する。楔５０は、限定するわけではないが、スポット溶接、接着剤、機構式の締結具、それらの組み合わせを含む様々な方法で、受容体２０に取り付けられるであろう。
【００１７】
楔５０は、更に、アンカー２０の更なる角形成を可能にする凹み部５３を含むであろう。図５に最も良く示されるように、凹み部５３は、受容体２０の中の他の凹み部８２に均等に離間するであろう。ある実施形態では、切り込み部３０は、凹み部８２ａの一部を含むであろう。楔５０の凹み部５３は、部分的な凹み部８２ａに整合し、受容体２０の凹み部と同じ大きさと形状の完全な凹み部を形成する。
【００１８】
アンカー４０は、頭部４１とシャフト４２とを含む。頭部４１は、シャフト４２とは反対側に配置された平坦な頂部４３を備えた球面形状を含む。図９に示されるように、頭部は、頭部４１の球面状の対向する側面の間でアンカー４０の長手軸ＬＡに垂直に測定される幅Ｗ２を含む。幅Ｗ２は、収容部８０の幅Ｗ１よりも小さく、開口部２４の幅よりも大きい。シャフト４２は、まっすぐであり、頭部４１から外方向に延在する。シャフト４２は、また、螺合部を含み、骨との係合を容易にする。長手軸ＬＡに対して垂直に測定されるシャフト４２の幅は、切り込み部３０の幅よりも小さい。取り付け構造体４４は、頭部４１の中に配置されて、アンカー４０を骨の中に挿入するための駆動道具を受容するよう構成される。取り付け構造体４４は、多角形の凹み部等の構造体を含み、駆動道具と係合する。
【００１９】
締結具６０は、受容体２０のチャネル２１の中で細長い部材を固定する。図２は、アーム２３の内部の螺合部２５と係合する外部表面の螺合部６１を含む締結具を備えた、ある実施形態を示す。他の実施形態（不図示）では、締結具６０は、アーム２３の周りを延在する大きさの中央開口部を含む。この実施形態では、螺合部は、中央開口部の周りに配置され、アーム２３の外部の螺合部と係合する。
【００２０】
クラウン７０は、受容体２０の中に配置されるように構成されて、中央開口部７１と共に輪状の形状を含む。受容体２０の中に配置されるとき、開口部７１は、第２の開口部２９に整合し、アンカー４０の取り付け構造体４４へのアクセスを提供する。クラウン７０は、上方表面７３及び下方表面７４を含む。表面７３，７４は、平坦であり、或いは、１又は２以上の波状起伏（undulation）を含むであろう。クラウン７０は、図１０及び１１に示されるように、収容部８０の中のノッチ８１に対応する肩部７４を含むであろう。クラウン７０は、頭部４１よりも柔らかい材料で構成され、締結具６０を締めることでクラウン７０が細長い部材によって頭部４１の上に押し付けられるとき、クラウンと頭部４１とが互いに噛み合うことを可能にする。
【００２１】
１又は２以上の付勢部材８９は、図３に示されるように、収容部８０の中へ延在するであろう。付勢部材８９は、アンカー４０の頭部４１に接触し、頭部４１に対する力を提供して、受容体２０に対するアンカー４０の動きを妨げるか制限する。付勢部材８９は、コイルばね、ワッシャ、シリコーンプラグ等で形成される。多様な付勢部材８９を備えた実施形態では、付勢部材８９は、互いに同じであったり異なっているであろう。
【００２２】
付勢部材８９は、各々が、受容体２０の内部壁の中に形成されたキャビティ８８の中に配置される。キャビティ８８及び付勢部材８９は、受容体２０の周りの異なる位置に配置されるであろう。ある実施形態では、キャビティ８８及び付勢部材８９は、受容体２０の凹んでいない部分とは反対側に配置される。また、キャビティ８８及び付勢部材８９は、１又は２以上の凹み部８２の上方に配置されるであろう。キャビティ８８は、付勢部材８９が頭部４１の丸い部分に接触し平坦な頂部４３に接触しないように配置される。平坦な頂部４３に接触すれば、受容体２０の長手軸ＬＲに整合したアンカー４０の長手軸ＬＡの中央位置にアンカー４０が回転して戻ることを妨げる。
【００２３】
キャビティ８８及び付勢部材８９の数は、変わるであろう。ある実施形態では、２つのキャビティ及び付勢部材８９が、約１２０度離れて配置される。他の実施形態では、単一のキャビティ及び付勢部材８９が、受容体２０の中に配置される。１又は２以上のキャビティ及び付勢部材８９はまた、楔５０の上に配置されるであろう。図８は、楔５０の中に配置されたキャビティを備えた実施形態を含む。
【００２４】
図９，１０，１１は、アンカー４０及び受容体２０を取り付ける１つの方法を示す。取り付けに先立って、切り込み部３０は、受容体２０に取り付けられない。アンカー４０は、図９及び１０に示されるように、受容体２０の長手軸ＬＲとは平行でない角度で長手軸ＬＡに配置される。アンカー４０は、受容体２０に対して垂直であるか、平行ではないより少ない角度（即ち９０度未満）であり、頭部４１が、開口部２４を通って、切り込み部３０の中に挿入されているシャフト４２と共に収容部８０へ挿入されることを可能にする。図９に示されるようなある実施形態では、頭部４１の平坦なエッジ４３と基部との間で測定された頭部４１の高さＨは、開口部２４の幅及び収容部８０の幅Ｗ１よりも小さい。図１０はまた、頭部４１の幅Ｗ２が収容部８０の高さよりも大きいこと、その結果、軸ＬＡ，ＬＲが平行でないときに、頭部４１の一部が下方端部２７を超えて延在することを示す。
【００２５】
いったん頭部４１が収容部８０の中にあると、アンカー４０は、受容体２０に対して回転して、その結果、軸ＬＡ，ＬＲは更に近い整合状態となる。図１１に示されるようなある実施形態では、軸ＬＡ，ＬＲは、全体として整合状態となろう。アンカー４０と受容体２０との間の相対的な動きのために、シャフト４２が切り込み部３０から外へ動くとき、頭部４１は、収容部８０の中で旋回する。頭部４１の幅Ｗ２は収容部の幅Ｗ１よりも大きいので、頭部４１は、収容部８０の中で旋回することが可能である。
【００２６】
アンカー４０が受容体２０から逃げることを防止するために、楔５０は、受容体２０に取り付けられる。ある実施形態では、楔５０は、受容体２０の下に配置され、下方側面２７を通って挿入され、上方に向けて切り込み部３０の中へ動く。挿入のこの方向は、楔５０のフランジ５４を設置する。図６に示されるようなある実施形態では、楔５０は、切り込み部３０を完全に横切って延在する。楔５０の外部の部分の外エッジは、切り込み部３０のエッジに接触する。内部部分は、受容体２０の対応する構造体に合致する。外部表面５２は、受容体２０の外部表面と同一平面となろう。更に、外部表面５２は、受容体２０の外部表面に適合して、受容体２０が単一で連続した片であることを視覚的に示すであろう。図５に示されるように、外部表面５２は、受容体２０の湾曲した形状に適合する湾曲した形状を含むであろう。楔５０の内部のエッジはまた、受容体２０の内方向に湾曲した湾曲した（即ち、長手軸ＬＲに向けて湾曲した）形状に適合するであろう。更に、内部表面５１はまた、受容体２０の内側壁の形状と整合し、適合するであろう。更に、楔５０は、内部表面５１が収容部８０の中へ延在しないような大きさと形状を有するであろう。
【００２７】
いったん切り込み部３０に対して配置されると、楔５０は、受容体２０に取り付けられる。取り付けは、スポット溶接、接着剤、機構式の締結具、他の様々な方法で実行されるであろう。いったん取り付けられると、楔５０のために、頭部４１は、収容部８０から外へ逃げることが防止される。楔５０は、開口部２４の残りの大きさを減らして頭部４１のそれよりも小さくする大きさである。残りの開口部２４は、対称や非対称であろう。楔５０が受容体２０に取り付けられた後、アンカー４０は、いまだに受容体２０に対して動作可能であり、アンカー４０の角度位置の調節を可能にする。
【００２８】
接続具１０は、様々な状況の中で使用され、細長い部材を骨に取り付けるであろう。実施例は、限定するわけではないが、椎骨のロッドを椎骨に取り付けること、ロッドを骨折した大腿骨に取り付けることを含む。
【００２９】
受容体２０及び楔５０は、様々な材料で形成され、限定するわけではないが、チタン、ステンレス鋼、カーボンファイバ、ポリエーテルエーテルケトン（ＰＥＥＫ）を含むであろう。受容体２０及び楔５０は、同じ又は異なる材料で形成されるであろう。
【００３０】
「下方（inferior）」、「上方（superior）」「更に下に（lower）」、「上に（over）」等の空間的に相対的な語は、ある要素の第２の要素に対する位置を説明するための記述を容易にするために使用される。これらの語は、装置の異なる向き、さらに、図に示される向きとは異なる向きも含むことを意図される。さらに、「第１の」、「第２の」等の語はまた、様々な要素、領域、部分などを説明するために使用され、また、限定されることは意図されない。同様の語が、記述を通して同様の要素を指す。
【００３１】
本明細書で使用される際、「有する（having）」、「含有する（containing）」、「含む（including）」、「備える（comprising）」等の語は、述べられた要素や特徴の存在を示すが、追加の要素や特徴を排除しない制約の無い語である。冠詞「１つ（a）」、「１つ（an）」及び「前記（the）」は、文脈が明らかにそうではないものを示している場合を除いて、単数と同様に複数も含むことが意図される。
【００３２】
本発明は、本発明の範囲及び本質的な特徴から逸脱することなく、本明細書に述べられるやり方とは別の特定のやり方で実施してもよい。楔５０は、切り込み部３０を完全に横切って延在しないように、切り込み部の大きさより小さくてよい。従って、本実施形態は、あらゆる点において、例示的であり、制限的ではないとみなされるべきであり、添付の特許請求の範囲の意味及び均等の範囲内にあるすべての変更は、本発明に包含されるものと意図される。
【図１】
2012504477.tif 000003
【図２】
2012504477.tif 000004
【図３】
2012504477.tif 000005
【図４】
2012504477.tif 000006
【図５】
2012504477.tif 000007
【図６】
2012504477.tif 000008
【図７】
2012504477.tif 000009
【図８】
2012504477.tif 000010
【図９】
2012504477.tif 000011
【図１０】
2012504477.tif 000012
【図１１】
2012504477.tif 000013
【国際調査報告】
2012504477.tif 000014
2012504477.tif 000015
2012504477.tif 000016
2012504477.tif 000017